(57)【特許請求の範囲】
【請求項１】
ベースバンド信号をＲＦ信号に変換する少なくとも１つの変調器（316, 320）を備え、ベースバンド周波数で動作するベースバンド信号処理ステージ（301）と、前記ＲＦ信号を増幅する少なくとも１つの増幅器（330）を備え、ＲＦで動作するＲＦ信号処理ステージ（302）と、を備える送信装置（300）における雑音を抑圧する方法（500）であって、
前記方法は、前記少なくとも１つの増幅器（330）の回りに接続されたフィードバックループ（333, 336）において実行され、
前記方法は、
ベースバンド信号成分と雑音成分とを含む増幅されたＲＦ信号を取得するために、前記少なくとも１つの増幅器（330）の下流で前記ＲＦ信号処理ステージ（302）をタップするステップ（505）と、
前記タップされたＲＦ信号をベースバンド周波数にダウンコンバートするステップ（510）と、
前記ダウンコンバートされた信号から前記ベースバンド信号成分を除去するステップ（520）と、
前記雑音成分を依然として含む、前記除去の結果として得られた信号を、ＲＦ周波数にアップコンバートするステップ（525）と、
前記アップコンバートされた信号を、前記少なくとも１つの増幅器（330）の上流で前記ＲＦ信号処理ステージ（302）にフィードバックすることにより、前記雑音成分を抑圧するステップ（530）と
を含むことを特徴とする方法。
【請求項２】
前記ダウンコンバートされた信号から除去されるべき前記ベースバンド信号成分を取得するために、前記ベースバンド信号処理ステージ（301）をタップするステップをさらに含むことを特徴とする請求項１に記載の方法。
【請求項３】
前記タップされたベースバンド信号成分を増幅するステップをさらに含むことを特徴とする請求項２に記載の方法。
【請求項４】
前記ベースバンド信号処理ステージ（301）の前記タップと、前記ダウンコンバートされた信号からの前記ベースバンド信号成分の前記除去との間の信号パスにおいて提供される利得を、前記ＲＦ信号処理ステージ（302）の前記少なくとも１つの増幅器（330）を介して整合させるために、前記タップされたベースバンド信号成分の前記増幅の利得をキャリブレーションするステップをさらに含むことを特徴とする請求項３に記載の方法。
【請求項５】
前記ＲＦ信号処理ステージ（302）の前記少なくとも１つの増幅器（330）が高利得の増幅を提供する場合に、前記タップされたベースバンド信号成分の前記増幅と、前記アップコンバートされた信号の前記ＲＦ信号処理ステージへの前記フィードバックとを、選択的に有効化するステップをさらに含むことを特徴とする請求項３又は４に記載の方法。
【請求項６】
前記ＲＦ信号処理ステージ（302）へ前記アップコンバートされた信号をフィードバックする前記ステップは、
前記ベースバンド信号処理ステージ（301）のアップコンバートされた出力信号から、前記アップコンバートされた信号を減じるステップを含む
ことを特徴とする請求項１乃至５の何れか１項に記載の方法。
【請求項７】
前記ダウンコンバートによって生成された信号のアーティファクトを除去するために、前記ダウンコンバートされた信号をフィルタリングするステップ（515）をさらに含むことを特徴とする請求項１乃至６の何れか１項に記載の方法。
【請求項８】
前記フィルタリングする前記ステップ（515）は、前記ダウンコンバートにおいて生じたイメージ信号をローパスフィルタリングするステップを含むことを特徴とする請求項７に記載の方法。
【請求項９】
前記ベースバンド信号処理ステージ（301）は、同相信号ブランチ（Ｉブランチ）と直交位相信号ブランチ（Ｑブランチ）とを備え、
前記方法は、
前記同相信号ブランチ（Ｉブランチ）と前記直交位相信号ブランチ（Ｑブランチ）とのそれぞれについて、個別のフィードバックループ（333, 336）において同時に前記の各ステップを実行するステップをさらに含む
ことを特徴とする請求項１乃至８の何れか１項に記載の方法。
【請求項１０】
前記ＲＦ信号処理ステージ（302）の前記少なくとも１つの増幅器（330）は、可変利得の増幅を提供することを特徴とする請求項１乃至９の何れか１項に記載の方法。
【請求項１１】
前記雑音成分は、前記変調器（316, 320）と前記増幅器（330）とのうちの少なくとも１つによって生じた、雑音コンテンツと歪みコンテンツとのうちの少なくとも１つを含むことを特徴とする請求項１乃至１０の何れか１項に記載の方法。
【請求項１２】
前記ベースバンド信号成分は、同相信号（Ｉ）と直交位相信号（Ｑ）との両方から生じることを特徴とする請求項１乃至１１の何れか１項に記載の方法。
【請求項１３】
送信装置（300）であって、
ベースバンド信号をＲＦ信号に変換する少なくとも１つの変調器（316, 320）を備え、ベースバンド周波数で動作するベースバンド信号処理ステージ（301）と、
前記ＲＦ信号を増幅する少なくとも第１の増幅器（330）を備え、ＲＦで動作するＲＦ信号処理ステージ（302）と、
前記第１の増幅器（330）の回りに接続されたフィードバックループ（333, 336）であって、
前記第１の増幅器（330）の下流で、ベースバンド信号成分と雑音成分とを含む増幅されたＲＦ信号をタップする第１のタップ部（340）と、
前記タップされたＲＦ信号をベースバンド周波数にダウンコンバートするダウンコンバート部（343, 370）と、
前記ダウンコンバートされた信号から前記ベースバンド信号成分を除去する除去部（348, 376）と、
前記雑音成分を依然として含む、前記除去の結果として得られた信号を、ＲＦ周波数にアップコンバートするアップコンバート部（350, 380）と
を備える前記フィードバックループと
を備え、
前記フィードバックループ（333, 336）は、前記アップコンバートされた信号を、前記第１の増幅器（330）の上流で前記ＲＦ信号処理ステージ（302）にフィードバックすることにより、前記雑音成分を抑圧する
ことを特徴とする送信装置。
【請求項１４】
前記フィードバックループ（333, 336）は、
前記ダウンコンバートされた信号から除去されるべき前記ベースバンド信号成分をタップする第２のタップ部（356, 390）
をさらに備えることを特徴とする請求項１３に記載の送信装置。
【請求項１５】
前記フィードバックループ（333, 336）は、
前記タップされたベースバンド信号成分を増幅する専用の増幅器（360, 386）
をさらに備えることを特徴とする請求項１４に記載の送信装置。
【請求項１６】
前記フィードバックループ（333, 336）は、
前記ダウンコンバートによって生成された信号のアーティファクトを除去するために、前記ダウンコンバートされた信号をフィルタリングするフィルタ（346, 373）
をさらに備えることを特徴とする請求項１３乃至１５の何れか１項に記載の送信装置。
【請求項１７】
送受信装置（400）であって、
請求項１３乃至１６の何れか１項に記載の送信装置（300）と、
受信装置（410）と、
アンテナポート（405）を有するデュプレクサであって、前記送信装置（300）から前記アンテナポート（405）へのＲＦ信号と、前記アンテナポート（405）を介して受信される、前記受信装置（410）に対するＲＦ信号とを、周波数選択的に結合する、前記デュプレクサと
を備えることを特徴とする送受信装置。
【発明の詳細な説明】
【技術分野】
【０００１】
本発明は、全体として、送信装置の雑音を抑圧する分野に関するものである。具体的には、本発明は、ベースバンド信号を無線周波数（ＲＦ：Radio Frequency）信号に変換する変調器を備え、ベースバンド周波数で動作するベースバンド信号処理ステージと、増幅器を備え、ＲＦ周波数で動作するＲＦ信号処理ステージと、当該増幅器の回りのフィードバック・ループと、を備える送信装置における雑音を抑圧する技術に関するものである。
【背景技術】
【０００２】
無線通信システムにおいて使用されるようなフルデュプレクス送受信機は、送信装置と受信装置とを備える。このような送受信機においては、無線インタフェースを介して信号が同時に送信及び受信される。フルデュプレクス送受信機のＲＦ領域において、送信ＲＦ信号及び受信ＲＦ信号は、相互に一定の周波数、いわゆる「デュプレクス間隔」だけ相隔てられている。
【０００３】
図１は、従来のフルデュプレクス送受信機を表すブロック図を示している。当該送受信機は、送信機（ＴＸ）パスと受信機（ＲＸ）パスとを備えている。デュプレクサは、ＴＸパスとＲＸパスとアンテナとの間に接続されている。当該デュプレクサは、ＴＸパスからアンテナへのＲＦ信号と、アンテナを介して受信された、ＲＸパスへのＲＦ信号とを分離する。
【０００４】
ＴＸパスは、ベースバンド信号処理ステージとＲＦ信号処理ステージとを備える。ベースバンド処理ステージは、同相（Ｉ）信号ブランチと直交位相（Ｑ）信号ブランチとを備える。Ｉブランチ及びＱブランチのそれぞれは、デジタル・アナログ変換器（ＤＡＣ）とフィルタとミキサとを備える。ミキサは、通常、ＩＱ変調器として実装され、低周波数のベースバンド信号をＲＦ信号に変換する。Ｉブランチ及びＱブランチのミキサからの出力信号は、ＲＦ信号処理ステージに供給される。
【０００５】
ＲＦ信号処理ステージは、信号合成素子と、可変利得増幅器（ＶＧＡ：variable gain amplifier）と、表面弾性波（ＳＡＷ：surface acoustic wave）フィルタと、電力増幅器（ＰＡ）とを備える。信号合成素子は、Ｉブランチ及びＱブランチからの出力信号を１つの信号に合成して、合成信号をＶＧＡに提供する。ＶＧＡは、当該合成信号を所望の電力レベルに増幅して、ＰＡにフィードする。その後、ＰＡによって増幅された信号は、当該信号をアンテナに結合するデュプレクサに対して提供される。ＲＸパス・フロントエンドは、アンテナによって受信された信号がデュプレクサを介して供給される低雑音増幅器（ＬＮＡ）を備える。
【０００６】
図１に示すフルデュプレクス送受信機において、ＴＸパス内で生じた雑音、即ち、オンチップ集積ブロックによって生じた雑音は、半円状の矢印によって示されるように、デュプレクサを通じてＲＸパスに漏洩する。ＴＸパスからデュプレクサを介してＲＸパスに漏洩する雑音を低減するために、ＳＡＷフィルタがＶＧＡとＰＡとの間のＴＸパスに配置される。
【０００７】
しかし、ＳＡＷフィルタはかなり高価である。さらに、一般的に、フィルタは回路プラットフォーム上にスペースを必要とするのに対して、送信装置の大きさを低減することは、一般的な設計目標である。また、マルチバンド送信装置の場合、各帯域について１つのフィルタが設けられる。従って、外部フィルタに必要となるコスト及びスペースは、周波数帯域の数とともに増加する。
【０００８】
ＴＸパスからＲＸパスへのデュプレクサを通じた雑音の漏洩を減少させる代替的な方法は、ＴＸパスにおける電力消費を増加させることである。その結果、ＴＸパスにおいて生じた雑音が一般的には低減される。しかし、電力消費を増加させることは送信装置にとって望ましくなく、特に、ハンドヘルド装置のようなバッテリ駆動式の装置にとっては望ましくない。
【０００９】
非特許文献１は、ＳＡＷフィルタに依存することなく雑音をキャンセルする、広帯域符号分割多元接続（ＷＣＤＭＡ）用の送受信装置の構成を開示している。図２は、送信機から受信機への雑音の漏洩を低減する、このＷＣＤＭＡ用送受信装置を表す概略的なブロック図を示している。
【００１０】
図２に示す送受信機は、ＶＧＡとＰＡとの間のＴＸパスにＳＡＷフィルタが含まれていない点で、図１に示す送受信機からは外れている。ＳＡＷフィルタの代わりに、ＶＧＡの回りにフィードバックループが設けられている。当該フィードバックループ内で、雑音が除去される。具体的には、当該フィードバックループは、Ｉ信号用の同相ブランチとＱ信号用の直交位相ブランチとを備える。同相ブランチ及び直交位相ブランチのそれぞれは、Ｉ信号及びＱ信号を、受信機の局部発振器信号ＲＸ ＬＯに基づいて、ＲＦ周波数からベースバンド周波数にダウンコンバートする第１のミキサＭＸ１と、ダウンコンバートされた信号から所望のＴＸ信号をフィルタリングするローパスフィルタ（ＬＰＦ）と、フィルタリングされた信号を、ベースバンド周波数から元のＲＦ周波数にアップコンバートする第２のミキサＭＸ２とを備える。
【００１１】
図２のフィードバックループに示す第１の周波数ダイアグラムに示すように、ＬＰＦは、ＲＸ周波数ｆRXに中心が位置付けられた鋭いバンドパスフィルタを形成する。当該ＬＰＦは、ＲＸ周波数帯域において生じた雑音を選択的にフィルタリングする。ＲＸ周波数帯域への雑音の漏洩を避けるために、当該ＬＰＦは、ＲＸベースバンド帯域幅よりも広い帯域幅を有する。第２のミキサＭＸ２によるアップコンバートの後に、雑音電力がＶＧＡにフィードバックされる。図２の上方の領域に示す第２の周波数ダイアグラムにさらに示すように、当該ＶＧＡには、ＲＸ周波数ｆRXにおいて０の出力インピーダンスが与えられる。従って、ＲＸ周波数帯域内の雑音は、図２に示す、周波数選択性を有するフィードバックループによって減衰されうる。
【００１２】
しかし、送信機から受信機への雑音の漏洩は、デュプレクス間隔が短い場合に最も問題である。例えば、第３世代パートナシップ・プロジェクト・ロング・ターム・エボリューション（３ＧＰＰ ＬＴＥ）標準規格に従って動作している送受信装置は、１０ＭＨｚまでの信号帯域幅を、短いデュプレクス間隔とともに使用する。デュプレクス間隔が短い場合、図２に示すＬＰＦは、鋭い高次ローパスフィルタでなければならない。しかし、高次ローパスフィルタ、特に鋭い高次ローパスフィルタは、位相の変化に起因した安定性の問題を引き起こすため、一般的には、フィードバックシステムでは敬遠される。
【００１３】
特許文献１は、ＩＱ変調器の誤差を補償する無線送信機に関するものである。当該送信機は、実無線周波数信号から第１の実ベースバンド信号を生成するホモダイン観測受信機と、複素ベースバンド信号を第２の実ベースバンド信号に変換する手段と、第１の実ベースバンド信号と第２の実ベースバンド信号との誤差を最小化することによって、ＩＱ誤差補償器を制御するパラメータを決定するアダプタと、ホモダイン観測受信機が実信号を生成し複素信号を生成しないという事実を補償する、実無線周波数信号のアナログ信号処理のための手段とを備える。
【００１４】
特許文献２は、それぞれが少なくとも１つのアップ・ミキサとダウン・ミキサとを備え、２つの直交したループを形成する、フォワード・パスとフィードバック・パスとを有する線形送信機を備える無線通信ユニットに関するものである。適用されるべきループ位相調整を特定する、オープンループ・モード動作において、フィードバックパス内で、位相トレーニング信号が少なくとも１つのダウン・ミキサに対して適用される。
【００１５】
特許文献３は、受信機のベースバンドにおいて相互変調干渉をキャンセルする装置に関するものであり、当該装置は、第１の信号を受信し、送信機から受信機への漏洩パスの線形特性及び非線形特性を近似し、復元した出力信号を提供する復元回路と、復元された出力信号を受信して、受信機からの第２の信号からそれを減じる信号加算器とを備える。
【先行技術文献】
【特許文献】
【００１６】
【特許文献１】米国特許出願公開第２００７／０１６５７４５号明細書
【特許文献２】国際公開第２００８／０８８６０３号
【特許文献３】米国特許出願公開第２００７／０１８４７８２号明細書
【非特許文献】
【００１７】
【非特許文献１】Ahmad Mirzaei and Hooman Darabi,“A low-power WCDMA transmitter with an integrated notch filter (集積ノッチフィルタを備える低電力ＷＣＤＭＡ送信機),”Proceedings of the 2008 IEEE International Solid-State Circuits Conference, pages 212 to 213.
【発明の概要】
【課題を解決するための手段】
【００１８】
従って、少なくとも上記で概説した不利益のうちの少なくとも一部を回避する、送信装置における雑音を抑圧する技術が必要である。
【００１９】
これは、請求項１の特徴を有する送信装置における雑音を抑制する方法、請求項１３の特徴を有する送信装置における雑音を抑制する方法、請求項１４の特徴を有する送信装置、及び請求項１８の特徴を有する送信装置によって達成される。さらなる実施形態は、従属請求項において規定されている。
【００２０】
第１の側面によれば、ベースバンド信号をＲＦ信号に変換する少なくとも１つの変調器を備え、ベースバンド周波数で動作するベースバンド信号処理ステージと、ＲＦ信号を増幅する少なくとも１つの増幅器を備え、ＲＦで動作するＲＦ信号処理ステージと、を備える送信装置における雑音を抑圧する方法が提供される。本方法は、増幅器の回りに接続されたフィードバックループにおいて実行されるステップであって、ベースバンド信号成分と雑音成分とを含む増幅されたＲＦ信号を取得するために、少なくとも１つの増幅器の下流でＲＦ信号処理ステージをタップするステップと、タップされたＲＦ信号をベースバンド周波数にダウンコンバートするステップと、ダウンコンバートされた信号からベースバンド信号成分を除去するステップと、雑音成分を依然として含む、当該除去の結果として得られた信号を、ＲＦ周波数にアップコンバートするステップと、アップコンバートされた信号を、少なくとも１つの増幅器の上流でＲＦ信号処理ステージにフィードバックすることにより、雑音成分を抑圧するステップとを含む。
【００２１】
送信装置における雑音を抑圧する本技術は、雑音成分が、主にＲＦ信号処理ステージの増幅器とベースバンド信号処理ステージの変調器とによって生じるという発見事項に基づく。ＲＦ信号処理ステージの増幅器の（少なくとも）回りにフィードバックループを設けることによって、雑音成分が増幅器のクローズドループ利得によって増幅される一方で、ＲＦ信号は増幅器のオープンループ利得によって増幅される。従って、異なる伝達関数が、（少なくとも、デュプレクス間隔だけ離れて存在している）ＲＦ信号及び雑音成分に対して提供される。
【００２２】
ダウンコンバートされた信号から除去されるべきベースバンド信号成分を取得するために、ベースバンド信号処理ステージがタップされてもよい。具体的には、（雑音成分を含まない）ベースバンド信号成分が、変調器による、ベースバンド信号のＲＦ周波数へのアップコンバートと、ＲＦ信号処理ステージの増幅器による増幅との前に、ベースバンド信号処理ステージにおいてタップされてもよい。当該ベースバンド信号成分は、その後、当該ベースバンド信号成分と雑音成分とを含む、ダウンコンバートされたＲＦ信号から減じられてもよく、その結果、雑音成分を実質的に含む信号が提供される。
【００２３】
一側面によれば、タップされたベースバンド信号成分は、増幅されてもよい。この増幅は、ベースバンド信号処理ステージとフィードバックループとの間の個別の信号パスにおいて、ダウンコンバートされた信号からのベースバンド信号成分の除去の前に提供されてもよい。
【００２４】
ダウンコンバートされた信号からベースバンド信号成分を完全に除去できない場合、ＲＦ信号処理ステージの増幅器によって提供される信号利得が減少する。ダウンコンバートされた信号からのベースバンド信号成分の実質的に完全な除去を可能にするために、タップされたベースバンド信号成分の増幅についての利得のキャリブレーションが提供されてもよい。当該利得のキャリブレーションは、タップされたベースバンド信号成分の増幅によって提供される利得が、ベースバンド信号処理ステージのタップと、ダウンコンバートされた信号からのベースバンド信号成分の除去との間の信号パスにおいて提供される利得と、ＲＦ信号処理ステージの増幅器を介して整合するように、実行されうる。
【００２５】
送信装置の電力消費を低減するために、ＲＦ信号処理ステージの増幅器が高利得の増幅を提供する場合に、タップされたベースバンド信号成分の増幅と、アップコンバートされた信号のＲＦ信号処理ステージへのフィードバックとを、選択的に有効化してもよい。ＲＦ信号処理ステージの増幅器が高利得の増幅を提供している場合、即ち、高い出力電力を有する出力信号が生成されている場合には、雑音が主な問題であるため、このような選択的な有効化は、送信装置についての雑音の低減特性を実質的に劣化させることなく提供できる。
【００２６】
さらに、ＲＦ信号処理ステージの増幅器が高利得の増幅を提供している場合に、タップされたベースバンド信号成分の増幅を選択的に有効化することによって、タップされたベースバンド信号成分の当該増幅によって提供される利得の範囲は、送信装置の利得の範囲全体のうちの一部のみに一致するように低減されうる。その結果、タップされたベースバンド信号成分の増幅と当該増幅のキャリブレーションとの実施を、簡略化することができる。
【００２７】
ベースバンド信号成分を実質的に含む信号をＲＦ信号処理ステージの増幅器にフィードバックするために、アップコンバートされた信号をＲＦ信号処理ステージへフィードバックするステップは、ベースバンド信号処理ステージのアップコンバートされた出力信号から、アップコンバートされた信号を減じるステップを含んでいてもよい。ベースバンド信号処理ステージの出力信号のアップコンバートは、変調器によって提供されうる。当該変調器は、ＩＱ変調器であってもよいし、他の任意の変調器であってもよい。
【００２８】
フィードバックループ内のダウンコンバートによって生成された信号のアーティファクトを除去するために、ダウンコンバートされた信号をフィルタリングしてもよい。フィードバックループにおける当該フィルタリングは、ダウンコンバートの間に生じたイメージ信号等の不要な信号コンテンツについてのローパスフィルタリングを含んでいてもよい。ダウンコンバートの後に提供されるこのフィルタリングでは、ＲＦ信号処理ステージの増幅器又はベースバンド信号処理ステージの変調器によってＲＸ帯域の外側に生じる任意の雑音成分を除去してもよい。
【００２９】
さらなる側面によれば、ベースバンド信号成分は、同相信号と直交位相信号との両方から生じうる。このため、ベースバンド信号処理ステージは、同相信号ブランチと直交位相信号ブランチとを備えうる。異なる信号成分を同時に処理可能にするために、送信装置において雑音を抑圧する上記の各ステップは、同相信号ブランチと直交位相信号ブランチとのそれぞれについて、個別のフィードバックループにおいて同時に実行されうる。
【００３０】
ＲＦ信号処理ステージの増幅器は、可変利得の増幅を提供しうる。特に、当該可変利得の増幅は、信号処理ステージの電力増幅器を駆動しうる。
【００３１】
雑音成分は、変調器と増幅器とのうちの少なくとも１つによって生じた、雑音コンテンツと歪みコンテンツとのうちの少なくとも１つを含みうる。当該雑音コンテンツを抑圧することによって、送信機から受信機への漏洩を低減することができる。さらに、歪みコンテンツを抑圧することによって、送信装置の線形性を向上させることができる。
【００３２】
さらなる側面によれば、ベースバンド信号をＲＦ信号に変換する少なくとも１つの変調器を備え、ベースバンド周波数で動作するベースバンド信号処理ステージと、ＲＦ信号を増幅する少なくとも１つの増幅器を備え、ＲＦで動作するＲＦ信号処理ステージと、を備える送信装置における雑音を抑圧する方法が提供される。本方法は、少なくとも１つの増幅器の回りに接続されたフィードバックループにおいて実行されるステップとして、ベースバンド信号成分と雑音成分とを含む増幅されたＲＦ信号を取得するために、少なくとも１つの増幅器の下流でＲＦ信号処理ステージをタップするステップと、タップされたＲＦ信号をベースバンド周波数にダウンコンバートするステップと、雑音成分を実質的に含む信号を取得するために、ダウンコンバートされた信号からベースバンド信号成分を除去するステップと、雑音成分を実質的に含む当該信号を、少なくとも１つの変調器の上流でベースバンド信号処理ステージにフィードバックすることにより、雑音成分を抑圧するステップとを含む。
【００３３】
ハードウェアの側面に関して、送信装置が提供される。送信装置は、ベースバンド信号をＲＦ信号に変換する少なくとも１つの変調器を備え、ベースバンド周波数で動作するベースバンド信号処理ステージと、ＲＦ信号を増幅する少なくとも第１の増幅器を備え、ＲＦで動作するＲＦ信号処理ステージと、第１の増幅器の回りに接続されたフィードバックループとを備える。フィードバックループは、第１の増幅器の下流で、ベースバンド信号成分と雑音成分とを含む増幅されたＲＦ信号をタップする第１のタップ部と、タップされたＲＦ信号をベースバンド周波数にダウンコンバートするダウンコンバート部と、ダウンコンバートされた信号からベースバンド信号成分を除去する除去部と、雑音成分を依然として含む、当該除去の結果として得られた信号を、ＲＦ周波数にアップコンバートするアップコンバート部とを備え、当該フィードバックループは、アップコンバートされた信号を、第１の増幅器の上流でＲＦ信号処理ステージにフィードバックすることにより、雑音成分を抑圧する。ダウンコンバート部及びアップコンバート部はミキサであってもよい。
【００３４】
フィードバックループは、ダウンコンバートされた信号から除去されるべき前記ベースバンド信号成分をタップする第２のタップ部をさらに備える。一実施において、フィードバックループは、タップされたベースバンド信号成分を増幅する専用の増幅器をさらに備える。フィードバックループはまた、ダウンコンバートによって生成された信号のアーティファクトを除去するために、ダウンコンバートされた信号をフィルタリングするフィルタを備えていてもよい。当該フィルタは、ローパスフィルタであってもよい。
【００３５】
さらなるハードウェアの側面に関して、送信装置が提供される。送信装置は、ベースバンド信号をＲＦ信号に変換する少なくとも１つの変調器を備え、ベースバンド周波数で動作するベースバンド信号処理ステージと、ＲＦ信号を増幅する少なくとも第１の増幅器を備え、ＲＦで動作するＲＦ信号処理ステージと、第１の増幅器の回りに接続されたフィードバックループとを備える。フィードバックループは、第１の増幅器の下流で、ベースバンド信号成分と雑音成分とを含む増幅されたＲＦ信号をタップする第１のタップ部と、タップされたＲＦ信号をベースバンド周波数にダウンコンバートするダウンコンバート部と、雑音成分を実質的に含む信号を取得するために、ダウンコンバートされた信号からベースバンド信号成分を除去する除去部とを備え、当該フィードバックループは、雑音成分を実質的に含む当該信号を、少なくとも１つの変調器の上流でベースバンド信号処理ステージにフィードバックすることにより、雑音成分を抑圧する。
【００３６】
さらなるハードウェアの側面に関して、送受信装置が提供される。送受信装置は、送信装置と、受信装置と、アンテナポートを有するデュプレクサとを備え、デュプレクサは、送信装置からアンテナポートへのＲＦ信号と、アンテナポートを介して受信される、受信装置に対するＲＦ信号とを、周波数選択的に結合する。
【図面の簡単な説明】
【００３７】
以下では、下記の図面に表した例示的な実施形態を参照しながら、本発明について説明する。
【００３８】
【図１】先行技術から知られている第１の送受信装置を表す概略的なブロック図である。
【図２】先行技術から知られている第２の送受信装置を表す概略的なブロック図である。
【図３】送信装置の第１の実施形態を表す概略的なブロック図である。
【図４】送受信装置の一実施形態を表す概略的なブロック図である。
【図５】図３の送信装置又は図４の送受信装置における雑音を抑圧する方法の一実施形態を表すフローチャートである。
【図６】図３の送信装置又は図４の送受信装置のフィードバックループを通じたＲＦ信号の処理を表す５つの周波数ダイアグラムのシーケンスである。
【図７】図３の送信装置又は図４の送受信装置のフィードバックループを有効化及び無効化する際の、雑音伝達関数を示す周波数ダイアグラムである。
【図８】送信装置の第２の実施形態を表す概略的なブロック図である。
【図９】図８の送信装置又は図４の送受信装置における雑音を抑圧する方法の一実施形態を表すフローチャートである。
【発明を実施するための形態】
【００３９】
以下では、本発明の詳細な理解を提供するために、限定ではなく説明を目的として、複数のステップについての特定のシーケンス、構成要素、及び構成等の、具体的な詳細について説明する。こららの具体的な詳細から逸脱する他の実施形態において本発明が実施可能であることは、当業者には明らかである。例えば、送信装置及び送受信装置に関して実施形態を説明するものの、任意の通信装置（例えば、送受信装置を組み込んでいる移動局）に関連しても本発明が実施可能であることは、当業者には明らかである。さらに、３ＧＰＰ ＬＴＥ標準規格に準拠して実施形態を説明するものの、他の通信規格に関連しても本発明が実施可能であることは、当業者には明らかである。
【００４０】
図３は、送信装置３００の第１の実施形態を表す概略的なブロック図を示す。送信装置３００は、無線インタフェース（図示せず）を介した送信のために、ベースバンド信号情報を保護しながらＩベースバンド信号及びＱベースバンド信号をＲＦ信号に変換する。
送信装置３００は、ベースバンド信号処理ステージ３０１と、ＲＦ信号処理ステージ３０２と、フィードバックステージ３０３とを備える。
【００４１】
ベースバンド信号処理ステージ３０１は、Ｉ信号の処理用のＩブランチと、Ｑ信号の処理用のＱブランチとを備える。このため、Ｉ信号及びＱ信号は、それぞれのブランチに与えられる。Ｉブランチ及びＱブランチのそれぞれは、デジタルのＩ信号及びＱ信号をアナログ信号に変換するデジタル・アナログ変換器（即ち、ＤＡＣ１、ＤＡＣ２）と、フィルタ３０５、３０７と、変調器（即ち、ＩＱ変調器１、ＩＱ変調器２）とを備える。ＩＱ変調器１、２のそれぞれは、増幅器３１０、３１３と、ミキサ３１６、３２０とを備える。ミキサ３１６は、フィルタリングされたＩ信号を同相の局部発振器信号ＬＯ Ｉと混合し、ミキサ３２０は、フィルタリングされたＱ信号を直交位相の局部発振器信号ＬＯ Ｑと混合する。その結果、ＩＱ変調器１は、フィルタリングされたＩ信号の、ベースバンド周波数からＲＦ周波数へのアップコンバートを提供し、ＩＱ変調器２は、フィルタリングされたＱ信号の、ベースバンド周波数からＲＦ周波数へのアップコンバートを提供する。Ｉ信号及びＱ信号のＲＦ信号へのアップコンバートの後に、これらの信号はＲＦ信号処理ステージへ与えられる。
【００４２】
ＲＦ信号処理ステージ３０２は、第１の回路ノード３２５とＶＧＡ３３０とを備える。第１の回路ノード３２５において、アップコンバートされたＩ信号及びＱ信号は１つのＲＦ信号に合成される。ＶＧＡ３３０は、第１の回路ノード３２５によって供給される当該ＲＦ信号を増幅する。
【００４３】
図４は、図３の送信装置３００が実装される送受信装置４００の一実施形態を表す概略的なブロック図である。送受信装置４００は、周波数分割複信（ＦＤＤ）技術を使用する３ＧＰＰ標準規格又は他の標準規格に従って動作するハンドヘルド装置（例えば、携帯電話）等に含まれうるフルデュプレクス送受信装置である。
【００４４】
送受信装置４００は、図３の送信装置３００に加えて、ＰＡと、アンテナポート４０５を有するデュプレクサと、受信装置４１０と、アンテナポート４０５に接続されたアンテナとを備える。送信装置３００は、ＶＧＡ３３０によって増幅されたＲＦ信号をＰＡに供給する。ＶＧＡ３３０によって提供される増幅は、ＰＡを駆動する。送信装置３００からのＲＦ信号は、ＰＡによって増幅され、デュプレクサによってアンテナポート４０５を介してアンテナに結合される。さらに、当該デュプレクサは、アンテナによって受信されたＲＦ信号をアンテナポート４０５を介して受信装置４１０に結合する。
【００４５】
図３の送信装置３００（即ち、ＩＱ変調器１、ＩＱ変調器２、及びＶＧＡ３３０）内で生じた雑音コンテンツは、デュプレクサを通じて受信装置４１０に漏洩する可能性がある。
【００４６】
雑音コンテンツ及び歪みコンテンツのうちの少なくとも１つを抑圧するために、フィードバックステージ３０３が図３及び図４の送信装置３００内に設けられる。図３に示すように、フィードバックステージ３０３は、Ｉ信号を処理する第１のフィードバックループ３３３と、Ｑ信号を処理する第２のフィードバックループ３３６とを備える。フィードバックループ３３３及び３３６の両方は、同一の構造を有する。このため、以下では第１のフィードバックループ３３３のみについて詳細に説明する。
【００４７】
第１のフィードバックループ３３３は、第２の回路ノード３４０からＶＧＡ３３０を囲むように第１の回路ノード３２５まで設けられる。第２の回路ノード３４０において、第１のフィードバックループ３３３には、ＶＧＡ３３０によって増幅され、タップされたＲＦ信号が供給される。第１のフィードバックループ３３３は、ダウンコンバート部３４３と、ローパスフィルタ３４６と、除去部３４８と、アップコンバート部３５０とを備える。ダウンコンバート部３４３及びアップコンバート部３５０は、ミキサとして実現される。さらに、ベースバンド信号成分を第１のフィードバックループ３３３に供給する信号パス３５３が設けられている。信号パス３５３は、フィルタ３０５とＩＱ変調器１との間のベースバンド信号処理ステージ内に設けられた第３の回路ノード３５６において、ベースバンド信号成分をタップしており、当該ベースバンド信号成分を除去部３４８に供給する。さらに、ベースバンド信号成分を増幅する増幅器３６０が信号パス３５３内に設けられている。
【００４８】
図５は、図３及び図４の送信装置３００における雑音を抑圧する方法５００の一実施形態を表すフローチャートである。図３及び図５を参照しながら方法５００について説明する。
【００４９】
方法５００は、ステップ５０５において、ベースバンド信号成分と雑音成分とを含む増幅されたＲＦ信号を取得するために、ＶＧＡ３３０の下流の第２の回路ノード３４０においてＲＦ信号処理ステージ３０２をタップすることによって開始する。
【００５０】
その後、ステップ５１０において、タップされたＲＦ信号がベースバンド周波数にダウンコンバートされる。具体的には、第２の回路ノード３４０においてタップされたＲＦ信号が、同相局部発振器信号ＬＯ Ｉと混合されて、ベースバンド周波数にダウンコンバートされる。
【００５１】
ダウンコンバートの後、当該ダウンコンバートの間に生じたイメージ信号と不要な直交信号とを除去するために、ステップ５１５において、ダウンコンバートされた信号がローパスフィルタ３４６によってローパスフィルタリングされる。式(2)からわかるように、送信周波数の２倍の周波数に中心が位置付けられたイメージ信号は、不要な信号コンテンツであり、ローパスフィルタ３４６によって除去される。しかし、実質的には、ＩＱ変調器１又はＶＧＡ３３０によって生じた雑音コンテンツ又は歪みコンテンツは、ローパスフィルタ３４６によって除去又は抑圧される必要はない。イメージ信号だけでなく直交信号も、ＬＯ信号周波数の２倍の周波数に位置付けられる。従って、鋭い高次のＬＰフィルタは必要ない。このため、ローパスフィルタ３４６は、低コストの構成要素として構成できる。
【００５２】
安定性は、ＲＦ周波数におけるフィードバックループを使用する際の主要な問題の１つである。フィードバックループ内に位置付けられたフィルタ及びミキサからの遅延及び位相変化は、送信装置を不安定にする可能性がある。従って、第１のフィードバックループ３３３で過度に大きな位相変化が生じる可能性があるため、鋭い高次のフィルタはローパスフィルタ３４６に使用されない。
【００５３】
ベースバンド信号処理ステージ３０１からのベースバンド信号成分とＩＱ変調器１、ＩＱ変調器２、及びＶＧＡ３３０の少なくとも１つからの雑音成分とを含む信号である、ローパスフィルタリングされた信号は、除去部３４８に供給される。
【００５４】
ステップ５２０において、除去部３４８は、ベースバンド信号処理ステージ３０１の第２の回路ノード３５６においてタップされ、増幅器３６０によって増幅されたベースバンド信号成分を、ローパスフィルタリングされた信号から除去する。当該ベースバンド信号成分は、ＩＱ変調器１によるアップコンバートとＶＧＡ３３０による増幅の前に第３の回路ノード３５６においてタップされるため、当該ベースバンド信号成分は、デュプレクス周波数における信号エネルギーを実質的に含まない。従って、当該信号は、除去部３４８におけるベースバンド信号成分の除去の後には雑音成分のみを実質的に含む。
【００５５】
雑音成分を含む当該信号は、その後、アップコンバート部３５０に供給され、ステップ５２５において、アップコンバート部３５０は、当該信号を（同相局部発振器信号ＬＯ Ｉを使用して）ベースバンド周波数から元のＲＦ周波数にアップコンバートしている。
当該アップコンバートによって、雑音成分を実質的に含むＲＦ信号が取得される。
【００５６】
その後、ステップ５３０において、アップコンバートされた信号は、ＶＦＡ３３０の上流でＲＦ信号処理ステージ３０２にフィードバックされる。アップコンバートされた当該信号は、第１の回路ノード３２５においてベースバンド信号処理ステージ３０１の出力信号から減じられる。このため、ベースバンド信号成分を実質的に含む信号が提供され、オープンループの増幅のためにＶＧＡ３３０に供給される。
【００５７】
第１のフィードバックループ３３３によって、雑音成分が、ＶＧＡ３３０のクローズドループ利得による影響を受ける一方で、ベースバンド信号成分が、ＶＧＡ３３０のオープンループ利得で増幅される。即ち、雑音成分はクローズドループ利得によってのみ増幅され、当該クローズドループ利得はオープンループ利得よりも実質的に少ない。従って、送信装置の隣接チャネル漏洩比（ＡＣＬＲ：Adjacent Channel Leakage Ratio）及び信号対雑音比（ＳＮＲ：Signal-to-Noise Ratio）を向上させることが可能である。
【００５８】
さらに、送信装置３００が図４の送受信装置４００に含まれる場合、デュプレクス間隔だけ離れた雑音コンテンツを低減する（又は少なくともＶＧＡ３３０によって増幅されるベースバンド信号成分ほどには増幅させない）ことが可能である。このため、受信装置４１０のＲＸ周波数にある雑音コンテンツを低減するだけではなく、図２のピュアなフィルタリングの場合となるであろう。送信機から受信機への雑音の漏洩をさらに防ぐために、ローパスフィルタ３４６は、送受信装置４００のデュプレクス間隔よりも広い帯域幅を有していてもよい。
【００５９】
ベースバンド信号成分が除去部３４８において除去されるため、増幅器３６０によって提供される利得を、ＩＱ変調器１、第１の回路ノード３２５、ＶＧＡ３３０、第２の回路ノード３４０、ダウンコンバート部３４３、及びローパスフィルタ３４６を介した信号パス上で、第３の回路ノード３５６と除去部３４８との間で提供される利得と整合させるべきである。このために、増幅器３６０はキャリブレーションされる。
【００６０】
アップコンバート部３５０の出力を切断した後、除去部３４８の出力（即ち、アップコンバート部３５０の入力）における信号コンテンツを最小化することによって、キャリブレーションが提供されうる。増幅器３６０の利得をキャリブレーションすることによって、ベースバンド信号成分が、第１のフィードバックループ３３３内で完全に除去されうる。このため、ＶＧＡ３３０における実効的な信号利得は減少しない。具体的には、キャリブレーションの精度は、利得のロスが第１のフィードバックループ３３３においてどの程度許容されうるかに依存する。
【００６１】
送信装置３００において、第１のフィードバックループ３３３と増幅器３６０による増幅とは、選択的に有効化されてもよい。具体的には、第１のフィードバックループ３３３と増幅器３６０による増幅とを選択的に有効化する切替部（図示せず）が設けられてもよい。ＶＧＡ３３０が高利得の増幅を提供する場合には、当該切替部は、第１のフィードバックループ３３３及び増幅器３６０の少なくとも何れかのみを有効化してもよい。その結果、送信装置３００の電力消費が低減されうる。出力電力が高い場合、雑音のみが主要な問題であるため、このような切替部による選択的な有効化は柔軟性がある。
【００６２】
Ｉ信号用の第１のフィードバックループ３３３と同様に、Ｑ信号用の第２のフィードバックループ３３６は、ダウンコンバート部３７０と、ローパスフィルタ３７３と、除去部３７６と、アップコンバート部３８０と、Ｑブランチにおける回路ノード３９０及び除去部３７６の間に増幅器３８６を含むさらなる信号パス３８３とを備える。利得のキャリブレーションも、増幅器３８６に対して提供されてもよい。さらに、第２のフィードバックループ３３６及び増幅器３８６も、選択的に有効化されてもよい。上述したように、第２のフィードバックループ３３６は、第１のフィードバックループ３３３と実質的に同一であるため、第２のフィードバックループ３３６についてのより詳細な説明はここでは省略する。
【００６３】
送信装置３００は、デュプレクス間隔が短い場合に、安定でありつつ実質的に良好な雑音抑圧結果をもたらす。必要でないときは、第１のフィードバックループ３３３と、第２のフィードバックループ３３６と、増幅器３６０、３８６による増幅とは、デュプレクス間隔が大きい場合に選択的に無効化されてもよい。
【００６４】
外部フィルタが必要ではないため、送信装置３００のコスト及びスペースを低減できる。しかし、送信装置における雑音を抑圧する技術は、送信装置３００の線形性を向上させるためにも使用できる。ＩＱ変調器１及びＩＱ変調器２の少なくとも何れかにおいて生成されるベースバンド歪みは、雑音成分と同様にして抑圧されうる。このため、雑音特性を向上させることに加えて、送信装置３００の線形性も向上させることが可能であり、その結果、そのＡＣＬＲを向上させることも可能である。
【００６５】
図６は、ＲＦ信号が図３の第１のフィードバックループ３３３をどのように通過するのかを概略的に表す５つの周波数ダイアグラムのシーケンスである。具体的には、図６は、正規化された信号が周波数ｆに対して図示された５つの周波数ダイアグラムを示している。説明を簡略化するために、図３のダウンコンバート部３４３、ローパスフィルタ３４６、及びアップコンバート部３５０は、雑音又は歪みを何ら発生させない理想的な要素であると仮定する。
【００６６】
第１の周波数ダイアグラム６１０では、図３の第２の回路ノード３４０においてタップされたＲＦ信号６１２が図示されている。ＲＦ信号６１２は、送信周波数TXに中心が位置付けられる。正規化ＲＦ信号６１２は、信号成分と雑音成分とを含む。
【００６７】
第２の周波数ダイアグラム６１５では、図３のダウンコンバート部３４３においてＲＦ信号がどのようにダウンコンバートされるのかを示している。
ダウンコンバート部３４３は、
sin(ωRFt)*sin(ωLOt)＝0.5cos((ωLO−ωRF)t)−0.5cos((ωLO＋ωRF)t)    (1)
が適用されるため、ＲＦ信号のアップコンバート及びダウンコンバートを同時に提供する。
【００６８】
このため、ゼロの周波数に中心が位置付けられたダウンコンバートされた信号６１６と、送信周波数の２倍の周波数（即ち、2*TX）に中心が位置付けられたイメージ信号６１７とが生成される。本実施形態では、ダウンコンバート部３４３を駆動するためにサイン波形及びコサイン波形が使用される。従って、ダウンコンバート部３４３の出力信号は、
[I*sin(ωlot)＋Q*cos(ωlot)]*sin(ωlot)＝
0.5*I−0.5*I*cos(2ωlot)＋0.5*Q*sin(2ωlot)    (2)
である。
【００６９】
ＴＸ ＬＯ周波数の２倍の周波数に中心が位置付けられるイメージ信号６１７は、不要な信号であり、図６の第３の周波数ダイアグラム６２０に示すように、図３のローパスフィルタ３４６によって除去される。具体的には、ローパスフィルタ３４６は、2*ωloにある信号コンテンツを除去する。ローパスフィルタ３４６によって除去されるべき不要な信号コンテンツは、ＴＸ ＬＯ周波数の２倍の周波数に位置付けられているため、ローパスフィルタ３４６に対する要求は低い。具体的には、送信装置３００の不安定性を招く可能性のある、鋭い高次のローパスフィルタは必要ない。
【００７０】
第４の周波数ダイアグラム６２５では、ダウンコンバートされた信号６１６のみが存在している。具体的には、第４の周波数ダイアグラム６２５は、除去部３４８におけるベースバンド信号の減算前の状態を示している。このため、雑音成分を実質的に含む信号が提供されるように、ダウンコンバートされた信号６１６からベースバンド信号成分が減じられる。
【００７１】
雑音成分を実質的に含む信号は、その後、図６の第５の周波数ダイアグラム６３０に示すように、ＴＸ周波数に中心が位置付けられたＲＦ信号６３３が生成されるように、図３のアップコンバート部３５０によってＲＦ周波数にアップコンバートされる。
【００７２】
図７は、図３の第１のフィードバックループ３３３が無効化された場合の第１の雑音伝達関数７１０と、図３の第１のフィードバックループ３３３が有効化された場合の第２の雑音伝達関数７２０とを示す周波数ダイアグラムである。具体的には、図７は、Ｈｚ表示の周波数に対するＶＧＡ３３３のデシベル表示の利得（即ち、雑音利得又は雑音伝達関数）を示しており、送信装置３００によって生成される雑音レベルに対する第１のフィードバックループ３３３の効果を図示している。使用した送信搬送波周波数は１ＧＨｚである。第１の雑音伝達関数７１０と第２の雑音伝達関数７２０とを比較した場合にわかるように、ＶＧＡ３３０の利得２０ｄＢによって、本明細書で説明した技術を用いて約１５ｄＢの雑音抑圧を達成することができる。
【００７３】
図８は、送信装置の第２の実施形態を表す概略的なブロック図を示している。図８に示す送信装置８００は、アップコンバート部３５０、３８０が除去されている点、及び、除去部３４８、３７６の出力信号がＲＦ信号処理ステージ３０２（即ち、第１の回路ノード３２５）ではなくベースバンド信号処理ステージ３０１にフィードバックされている点で、図３に示す送信装置３００と異なっている。
【００７４】
ベースバンド信号処理ステージ３０１のＩブランチへのフィードバックのために、除去部３４８の出力信号（即ち、雑音成分を本質的に含む信号）を減算部８１５にフィードする回路パス８１０が設けられている。減算部８１５は、第３の回路ノード３５６とＩＱ変調器１との間（即ち、増幅器３１０及びミキサ３１６の上流）に設けられている。減算部８１５は、第３の回路ノード３５６において提供されるＩブランチ信号から、雑音成分を実質的に含む信号を減じる。
【００７５】
ベースバンド信号処理ステージ３０１のＱブランチへのフィードバックについては、除去部３７６の出力信号を減算部８２５にフィードする、同様の回路パス８２０が設けられている。減算部８２５は、回路部３９０とＩＱ変調器２との間（即ち、増幅器３１３及びミキサ３２０の上流）に設けられている。
【００７６】
図８に示す送信装置８００に含まれる他の要素は、図３に示す要素と同一であり、同一の参照符号を有している。従って、これらの要素についても詳細には説明しない。
【００７７】
図９は、図８の送信装置８００における雑音を抑圧する方法９００の一実施形態を表すフローチャートである。図８及び図９（即ち、図８のＩブランチ）を参照しながら方法９００について説明する。
【００７８】
本方法は、ステップ９０５において、ベースバンド信号成分と雑音成分とを含む増幅されたＲＦ信号を取得するために、ＶＧＡ３３０の下流の第２の回路ノード３４０においてＲＦ信号処理ステージ３０２をタップすることによって開始する。その後、ステップ９１０において、タップされたＲＦ信号がベースバンド周波数にダウンコンバートされる。具体的には、第２の回路ノード３４０においてタップされたＲＦ信号が、同相局部発振器信号ＬＯ Ｉと混合されて、ベースバンド周波数にダウンコンバートされる。
【００７９】
ダウンコンバートの後、当該ダウンコンバートの間に生じたイメージ信号と不要な直交信号とを除去するために、ステップ９１５において、ダウンコンバートされた信号がローパスフィルタ３４６によってローパスフィルタリングされる。
【００８０】
その後、ローパスフィルタリングされた信号は、除去部３４８に供給される。ステップ９２０において、除去部３４８は、ベースバンド信号処理ステージ３０１の第３の回路ノード３５６においてタップされ、増幅器３６０によって増幅されたベースバンド信号成分を、ローパスフィルタリングされた信号から除去する。このため、雑音成分を実質的に含む信号が提供される。
【００８１】
続くステップ９３０において、雑音成分を実質的に含む信号が、ＩＱ変調器１及びＩＱ変調器２の上流でベースバンド信号処理ステージ３０１にフィードバックされ、その結果、雑音成分が抑圧される。
【００８２】
図８からわかるように、雑音成分を実質的に含む信号は、減算部８１５にフィードバックされる。雑音成分を実質的に含む当該信号が、ベースバンド周波数で動作するベースバンド信号処理ステージ３０１にフィードバックされるため、ＲＦ周波数へのアップコンバートを行う図３に示すアップコンバート部３５０は必要ない。
【００８３】
送信装置８００の安定性を向上させるために、フィードバックループのループ利得が制限されうる。
【００８４】
図９について説明したものと同一の方法が、送信装置８００のＱブランチにも使用されうる。さらに、送信装置８００は、図４に示す送受信装置４００に用いられてもよく、即ち、図３の送信装置３００の代わりに用いられてもよい。従って、図９に示す方法は、図４の送受信装置４００においても使用できる。
【００８５】
提案技術の実施形態を添付の図面に表すとともに、詳細な説明において説明してきたが、本発明は、本明細書に開示された実施形態に限定されることはないことが理解されよう。具体的には、提案技術は、以下の特許請求の範囲によって説明及び規定されている本発明の範囲を逸脱することなく、多数の再構成、変更及び置換が可能である。
【図１】
0005337249.tif 000002
【図２】
0005337249.tif 000003
【図３】
0005337249.tif 000004
【図４】
0005337249.tif 000005
【図５】
0005337249.tif 000006
【図６】
0005337249.tif 000007
【図７】
0005337249.tif 000008
【図８】
0005337249.tif 000009
【図９】
0005337249.tif 000010